(57)【要約】【課題】外周側接続部と内周側接続部の重合面に異物が侵入し難くなるようにして、両接続部のクローラ幅方向端部からのゴム欠けや亀裂の発生を防止することができる分割式弾性クローラを提供する。【解決手段】外周側芯金４が埋設された外周側接続部５をクローラ長手方向端部に有する有端帯状のゴム様弾性体よりなる第一セグメント２と、内周側芯金６が埋設された内周側接続部７をクローラ長手方向端部に有する有端帯状のゴム様弾性体よりなる第二セグメント３とを備え、厚さ方向に重ね合わされた両接続部５，７の芯金４，６同士をボルト締結することにより、両セグメント２，３同士を着脱自在でかつ無端帯状に連結するようにした分割式弾性クローラにおいて、内周側接続部７のクローラ幅方向両端面７Ａに当接して同端面７Ａをクローラ幅方向外側から被覆するフランジ部１２を外周側接続部５のクローラ幅方向両端部に一体に形成する。【選択図】      図３
2005022460.tif 000002
【特許請求の範囲】
【請求項１】
外周側芯金（４）が埋設された外周側接続部（５）をクローラ長手方向端部に有する有端帯状のゴム様弾性体よりなる第一セグメント（２）と、内周側芯金（６）が埋設された内周側接続部（７）をクローラ長手方向端部に有する有端帯状のゴム様弾性体よりなる第二セグメント（３）とを備え、厚さ方向に重ね合わされた前記両接続部（５，７）の芯金（４，６）同士をボルト締結することにより、前記両セグメント（２，３）同士を着脱自在でかつ無端帯状に連結するようにした分割式弾性クローラにおいて、
前記内周側接続部（７）のクローラ幅方向両端面（７Ａ）に当接して同端面（７Ａ）をクローラ幅方向外側から被覆するフランジ部（１２）が前記外周側接続部（５）のクローラ幅方向両端部に一体に形成されていることを特徴とする分割式弾性クローラ。
【請求項２】
クローラ長手方向に沿って延びる多数の補強繊維をクローラ幅方向に並設してなる抗張体（２５）が第一セグメント（２）と第二セグメント（３）の内部に埋設され、この抗張体（２５）における前記各セグメント（２，３）の接続部（５，７）に対応する部分とこれを包み込む当該接続部（５，７）のゴム部が、互いにボルト締結される両芯金（４，６）の間に挟み込まれている請求項１に記載の分割式弾性クローラ。
【請求項３】
クローラ長手方向に沿って延びる多数の補強繊維をクローラ幅方向に並設してなる抗張体（２５）が第一及び第二セグメント（２，３）に埋設され、その第一セグメント（２）に埋設されている抗張体（２５）のうちの外周側接続部（５）に対応する部分のそれ以外の部分に対する厚さ方向のずれ量と、前記第二セグメント（３）に埋設されている抗張体（２５）のうちの内側側接続部（７）に対応する部分のそれ以外の部分に対する厚さ方向のずれ量とが同じ寸法となるように設定されている請求項１又は２に記載の分割式弾性クローラ。
【請求項４】
両接続部（５，７）を重ね合わせた時に互いに直接当接することになる当接部が両芯金（４，６）のクローラ幅方向端部に形成されている請求項１〜３のいずれかに記載の分割式弾性クローラ。
【請求項５】
外周側芯金（４）が周方向で一定間隔おきに埋設された無端帯状のゴム様弾性体よりなる無端セグメント（２８）と、内周側芯金（６）が埋設されたゴム様弾性体よりなる分割セグメント（２９）とを備え、厚さ方向に重ね合わされた前記両セグメント（２８，２９）の芯金（４，６）同士をボルト締結することにより、前記分割セグメント（２９）を前記無端セグメント（２８）の内周側に着脱自在に固定するようにした分割式弾性クローラであって、
前記分割セグメント（２９）のクローラ幅方向両端面（２９Ａ）に当接して同端面（２９Ａ）をクローラ幅方向外側から被覆するフランジ部（１２）が前記無端セグメント（２８）のクローラ幅方向両端部に一体に形成されていることを特徴とする分割式弾性クローラ。
【発明の詳細な説明】
【０００１】
【発明の属する技術分野】
本発明は、農業機械や建設機械等に搭載されたクローラ走行装置に使用される、内部に芯金を有する分割式弾性クローラに関する。
【０００２】
【従来の技術】
従来、農業機械や建設機械等の作業車両においては、無端状に連設された各連結リンクに鉄製のシュープレートを取り付けてなる鉄クローラや、ゴム製の無端帯状のクローラ本体内に多数の芯金とスチールコードを埋設してなる弾性クローラが使用されている。このうち、鉄クローラは、シュープレートが交換可能で耐久性に優れているという利点がある反面、舗装路面を痛めたり走行時の騒音が大きいといった欠点がある。
【０００３】
これに対して、弾性クローラは、ゴムを主体としているので、舗装路面を痛めることがなく走行時の騒音も小さいという利点がある反面、小石等を踏みつけることで発生した亀裂からスチールコードが腐食され易く、しかも、そのような部分的な亀裂や偏摩耗を生じた場合でも全体を交換しなければならないため、不経済であるという欠点がある。
そこで、弾性クローラのクローラ本体が一体物であるが故の上記欠点を解消すべく、外周側芯金が埋設された外周側接続部をクローラ長手方向端部に有する有端帯状のゴム様弾性体よりなる第一セグメントと、内周側芯金が埋設された内周側接続部をクローラ長手方向端部に有する有端帯状のゴム様弾性体よりなる第二セグメントとを備え、厚さ方向に重ね合わされた両接続部の芯金同士をボルト締結することにより、両セグメント同士を着脱自在でかつ無端帯状に連結するようにした分割式弾性クローラが既に開発されている（特許文献１参照）。
【０００４】
【特許文献１】
実開平５−３２２７１号公報（請求項１）
【０００５】
【発明が解決しようとする課題】
しかるに、上記従来の分割式弾性クローラでは、外周側接続部と内周側接続部がいずれも同じ幅寸法に形成されていて、これらを厚さ方向に重ね合わせたときにその接合線が弾性クローラの接続部分のクローラ幅方向端縁に位置するようになっているので、クローラが縁石等に接触した場合にクローラ端部の接合部付近から剥離（耳切れ）が発生したり、この接合線から両接続部の重合面に土砂や小石等が侵入し易くなっている。
【０００６】
このため、従来の分割式弾性クローラでは、上記のようにして外周側接続部と内周側接続部の重合面に侵入した異物が原因となって、これら両接続部のクローラ幅方向端部からゴム欠けや亀裂が発生することが多く、しかも、クローラが縁石等に接触するとその端部が耳切れすることが多くなっており、この点で当該分割式弾性クローラの耐久性が低下するという欠点がある。
本発明は、このような実情に鑑み、外周側接続部と内周側接続部の重合面に異物が侵入し難くなるようにして、両接続部のクローラ幅方向端部からのゴム欠けや亀裂の発生を防止することができる分割式弾性クローラを提供することを目的とする。
【０００７】
【課題を解決するための手段】
上記目的を達成すべく、本発明は次の技術的手段を講じた。
すなわち、本発明は、厚さ方向に重ね合わされた両接続部の芯金同士をボルト締結することにより、有端帯状の両セグメント同士を着脱自在でかつ無端帯状に連結するようにした分割式弾性クローラにおいて、内周側接続部のクローラ幅方向両端面に当接して同端面をクローラ幅方向外側から被覆するフランジ部が外周側接続部のクローラ幅方向両端部に一体に形成されていることを特徴とするものである。
【０００８】
上記の本発明によれば、内周側接続部の幅方向両端面に当接して同端面をクローラ幅方向外側から被覆するフランジ部が外周側接続部のクローラ幅方向両端部に一体に形成されているので、外周側接続部と内周側接続部を厚さ方向に重ね合わせたときの接合線が弾性クローラの接続部分の内周側に位置するようになる。このため、かかる接合線が弾性クローラの接続部分のクローラ幅方向端縁に位置する従来の場合に比べて、両接続部の重合面に土砂や小石等が侵入し難くなり、両接続部のクローラ幅方向端部からのゴム欠けや亀裂の発生が防止されることになる。
【０００９】
上記の本発明において、クローラ長手方向に沿って延びる多数の補強繊維をクローラ幅方向に並設してなる抗張体が第一セグメントと第二セグメントの内部に埋設されている場合には、この抗張体における前記各セグメントの接続部に対応する部分とこれを包み込む当該接続部のゴム部を、互いにボルト締結される両芯金の間に挟み込むようにすることが好ましい。
この場合、外周側接続部の抗張体とその周囲のゴム部と、内周側接続部の抗張体とその周囲のゴム部とが、芯金同士をボルト締結する際の締め付け力で強固に一体化されることになるので、両セグメント同士を無端帯状に連結してなる当該分割式弾性クローラの接続部分の強度を向上することができる。
【００１０】
また、本発明において、クローラ長手方向に沿って延びる多数の補強繊維をクローラ幅方向に並設してなる抗張体を第一及び第二セグメントに埋設する場合には、その第一セグメントに埋設されている抗張体のうちの外周側接続部に対応する部分のそれ以外の部分に対する厚さ方向のずれ量と、前記第二セグメントに埋設されている抗張体のうちの内側側接続部に対応する部分のそれ以外の部分に対する厚さ方向のずれ量とが同じ寸法となるように設定することが好ましい。
この場合、分割式弾性クローラの接続部分（外周側接続部と内周側接続部を重ね合わせた部分）の曲げ中心がそれ以外の部分の曲げ中心とほぼ同じ位置になり、当該弾性クローラの曲げ剛性が周方向でほぼ一定となるので、クローラ走行装置からの脱輪の発生を抑制することができる。
【００１１】
更に、本発明において、両接続部を重ね合わせた時に互いに直接当接することになる当接部を両芯金のクローラ幅方向端部に形成するようにすれば、その芯金同士がボルト締結された場合の当該両芯金の端部強度が向上し、この点で、分割式弾性クローラの耐久性をより向上することができる。
なお、本発明は、有端帯状の第一セグメントと第二セグメントを着脱自在でかつ無端帯状に連結してなる分割式弾性クローラ（図１〜図６）だけでなく、無端帯状の無端セグメントの内周側に分割セグメントを着脱自在に固定してなる分割式弾性クローラ（図７〜図９）にも採用することができる。そして、後者のクローラの場合には、分割セグメントのクローラ幅方向両端面に当接して同端面をクローラ幅方向外側から被覆するフランジ部を無端セグメントのクローラ幅方向両端部に一体に形成すればよい。
【００１２】
【発明の実施の形態】
以下、図面に基づいて、本発明の実施の形態を説明する。
図１〜図６は本発明の第一実施形態を示している。
本実施形態の弾性クローラ１は、コンバインやハーベスタ等の農用車両やバックホー等の建設車両のクローラ走行装置に用いられるもので、主に湿田や傾斜地の走行に適している。この弾性クローラ１は、亀裂や偏摩耗が生じた場合に一部を交換するだけで済む分割式のものが採用されており、有端帯状のゴム様弾性体よりなるセグメント２，３同士を着脱自在でかつ無端帯状に連結することによって構成されている。
【００１３】
すなわち、図３及び図４に示すように、本実施形態の弾性クローラ１は、外周側芯金４が埋設された外周側接続部５をクローラ長手方向（図３及び図４の左右方向）端部に有する有端帯状のゴム様弾性体よりなる第一セグメント２と、内周側芯金６が埋設された内周側接続部７をクローラ長手方向端部に有する有端帯状のゴム様弾性体よりなる第二セグメント３とを備えており、厚さ方向に重ね合わされた両接続部５，７の芯金４，６同士をボルト締結することにより、両セグメント２，３同士を着脱自在でかつ無端帯状に連結するようにしたものである。
【００１４】
無端帯状の弾性クローラ１を分割構成する両セグメント２，３のうち、第一セグメント２は、厚さ方向に分割されていない通常断面の中央帯部９と、この中央帯部９のクローラ長手方向両端から同方向に一体に延設された前記外周側接続部５とから構成されている。この外周側接続部５は、中央帯部９の断面から前記内周側接続部７に相当する断面部分を除いた横長扁平のほぼ矩形断面に形成されており、これにより、内周側接続部７がちょうど嵌合する平面視ほぼ矩形状の接続凹部１０が外周側接続部５の内周側に形成されている。
他方、第二セグメント３は、厚さ方向に分割されていない通常断面の中央帯部１１と、この中央帯部１１のクローラ長手方向両端から同方向に一体に延設された前記内周側接続部７とから構成されており、この内周側接続部７は、上記外周側接続部５の接続凹部１０と同じ横長扁平のほぼ矩形断面に形成されている。
【００１５】
そして、図１及び図３に示すように、外周側接続部５のクローラ幅方向（図１の左右方向、図３及び図４の上下方向）両端部には、内周側接続部７のクローラ幅方向両端面７Ａに当接して同端面７Ａをクローラ幅方向外側から被覆するフランジ部１２が形成されている。このため、内周側接続部７を外周側接続部５の接続凹部１０に嵌め込んで両接続部５，７を重ね合わせると、内周側接続部７のクローラ幅方向両端面７Ａが接続凹部１０のクローラ幅方向両側に位置する各フランジ部１２に当接し、このフランジ部１２によってクローラ幅方向外側から被覆され、これにより、両接続部５，７の接合線１３が弾性クローラ１の接続部分の内周側に位置するようになっている。
【００１６】
図２及び図３に示すように、両セグメント２，３の中央帯部９，１１には、分割構成されていない一体型の通常芯金１４がクローラ長手方向に所定間隔おきに多数埋設されている。他方、第一セグメント２の外周側接続部５には、複数（図例では３つ）の前記外周側芯金４がクローラ長手方向に通常芯金１４と同じピッチで埋設され、第二セグメント３の内周側接続部７には、外周側芯金４と同数の前記内周側芯金６がクローラ長手方向に通常芯金１４と同じピッチで埋設されている。
【００１７】
各セグメント２，３のクローラ幅方向中央部には、駆動スプロケットの係合爪（図示せず。）を挿通可能とすべく、表裏方向に貫通する係合孔１５が周方向に一定間隔をおいて形成されており、各セグメント２，３における係合孔１５間に位置する部分に、クローラ幅方向に長い前記各芯金４，６，１４が埋設されている。
この各芯金４，６，１４のうち、前記通常芯金１４は、図２に示すように、そのクローラ幅方向の中央部に位置する厚肉部１６と、この厚肉部１６からクローラ幅方向外側に延びる両翼部１７と、転動輪（図示せず。）の転動経路を一定範囲に規制するために厚肉部１６の内周側から突設された左右一対の係合突起１８とを一体に備えている。
【００１８】
図１に示すように、第二セグメント３の内周側接続部７に埋設されている内周側芯金６も、上記厚肉部１６、両翼部１７及び両係合突起１８を有しており、厚さ方向に貫通するボルト挿通孔１９が左右両側部に形成されていること以外は、通常芯金１４とほぼ同じ形状に形成されている。他方、第一セグメント２の外周側接続部５に埋設されている外周側芯金４は、上記ボルト挿通孔１９に対応する位置に雌ねじ孔２０を有する短冊状の鋼製板材より構成されている。
【００１９】
このため、図１（ｂ）に示すように、内周側接続部７を外周側接続部５の接続凹部１０に嵌め込んで両接続部５，７を重ね合わせたあと、内周側芯金６のボルト挿通孔１９に固定ボルト２１を挿通し、このボルト２１の雄ねじ部を外周側芯金４の雌ねじ孔２０にねじ込んで締め付ければ、図１（ａ）に示すように、厚さ方向に重合する両接続部５，７の芯金４，６同士がボルト締結され、これによって第一及び第二グメント２，３を着脱自在に連結できるようになっている。
【００２０】
なお、内周側芯金６の厚肉部１６とボルト挿通孔１９を構成するボス部２２はゴム様弾性体の外部に露出しており、また、外周側芯金４の幅方向中央部と雌ねじ孔２０を構成するボス部２３はゴム様弾性体の外部に露出している。従って、本実施形態の弾性クローラ１では、両接続部５，７を重ね合わせた時に互いに直接当接する当接部が両芯金４，６のクローラ幅方向中央部とボルト挿通部分に形成されていることになる。
【００２１】
各セグメント２，３の外周側における通常芯金１４の両翼部１７に対応する部分には、左右一対のラグ２４が突出状に形成されている。この各ラグ２４は、断面ほぼ台形状でかつクローラ幅方向に延びるほぼ直線状に形成され、芯金４，６，１４と対応する周方向位置でかつ同芯金４，６，１４と同じピッチで、各セグメント２，３の外周面（ただし、第二セグメント３の内周側接続部７は除く。）に配置されている。
【００２２】
また、各セグメント２，３の断面内における通常芯金１４の両翼部１７に対応する部分には、クローラ長手方向に沿って延びる多数の補強繊維（スチールコードやケブラー繊維等）をクローラ幅方向に並設してなる抗張体２５が埋設されている。そして、図５に示すように、第一セグメント２の内部でクローラ長手方向に延びる抗張体２５は、外周側接続部５に対応する部分が中央帯部９に対応する部分に比べて一定寸法ｔだけ外周側（図５の下側）に偏在するように配置されている。
【００２３】
他方、第二セグメント３の内部でクローラ長手方向に延びる抗張体２５は、内周側接続部７に対応する部分が中央帯部１１に対応する部分に比べて前記と同じ一定寸法ｔだけ内周側（図５の上側）に偏在するように配置されている。
しかして、本実施形態では、第一セグメント２に埋設されている抗張体２５のうちの外周側接続部５に対応する部分の中央帯部９に対する厚さ方向のずれ量と、第二セグメント３に埋設されている抗張体２５のうちの内側側接続部７に対応する部分の中央帯部１１に対する厚さ方向のずれ量とがいずれも同じ寸法となるように設定されていて、これにより、分割式弾性クローラ１の接続部分（外周側接続部５と内周側接続部７を重ね合わせた部分）の曲げ中心がそれ以外の部分の曲げ中心とほぼ同じ位置になっている。
【００２４】
また、図１（ａ）に示すように、当該抗張体２５における各セグメント２，３の接続部５，７に対応する部分とこれを包み込む当該接続部５，７のゴム部が、互いにボルト締結される両芯金４，６の間に挟み込まれるようになっている。
なお、図示していないが、クローラ長手方向に対して傾斜した方向に延びるバイアスコードを並設してなる幅方向補強層を各セグメント２，３の内部に埋設することにしてもよい。
【００２５】
上記構成を有する本実施形態の分割式弾性クローラ１によれば、内周側接続部７のクローラ幅方向両端面７Ａに当接して同端面７Ａをクローラ幅方向外側から被覆するフランジ部１２が外周側接続部５のクローラ幅方向両端部に一体に形成されているので、外周側接続部５と内周側接続部７を厚さ方向に重ね合わせたときの接合線１３（図１（ａ）参照）が弾性クローラ１の接続部分の内周側（図１の上側）に位置するようになる。このため、かかる接合線１３が弾性クローラ１の接続部分のクローラ幅方向端縁に位置する場合に比べて、クローラ端部が縁石等に接触した場合の耳切れが発生し難くなるとともに、両接続部５，７の重合面に土砂や小石等が侵入し難くなり、両接続部５，７のクローラ幅方向端部からのゴム欠けや亀裂の発生が防止される。
【００２６】
また、本実施形態の分割式弾性クローラ１によれば、外周側接続部５の抗張体２５とその周囲のゴム部と、内周側接続部７の抗張体２５とその周囲のゴム部とが、内外の芯金４，６同士をボルト締結する際の締め付け力で強固に一体化されるようになっているので、当該弾性クローラ１の接続部分の強度を向上することができる。
【００２７】
図６は、外周側芯金４と内周側芯金６の変形例を示している。
この変形例では、互いに直接接触すべくゴム様弾性体の外部に露出する当接フランジ２６が外周側芯金４及び内周側芯金６のクローラ幅方向両端部に形成されており、これにより、両接続部５，７を重ね合わせた時に互いに直接当接することになる当接部を両芯金４，６のクローラ幅方向端部にも形成するようにしている。従って、この変形例に係る分割式弾性クローラ１によれば、芯金４，６同士がボルト締結された場合の当該両芯金４，６の端部強度が向上し、弾性クローラ１の耐久性がより向上するという利点がある。
【００２８】
図７〜図９は本発明の第二実施形態を示している。
本実施形態の分割式弾性クローラ１が第一実施形態のそれと異なるところは、当該クローラ１の内周側に位置する芯金部分だけを交換可能とすべく、無端帯状の無端セグメント２８の内周側に分割セグメント２９を着脱自在に固定することによって構成されている点にある。
すなわち、本実施形態の分割式弾性クローラ１は、外周側芯金４が周方向で一定間隔おきに埋設された無端帯状のゴム様弾性体よりなる無端セグメント２８と、内周側芯金６が埋設されたゴム様弾性体よりなる分割セグメント２９とを備えており、厚さ方向に重ね合わされた両セグメント２８，２９の芯金４，６同士をボルト締結することにより、分割セグメント２９を無端セグメント２８の内周側に着脱自在に固定するようにしている。
【００２９】
そして、図７及び図８（ｂ）に示すように、分割セグメント２９のクローラ幅方向両端面２９Ａに当接して同端面２９Ａをクローラ幅方向外側から被覆するフランジ部１２が無端セグメント２８のクローラ幅方向両端部に一体に形成されている。このため、本実施形態の分割式弾性クローラ１においても、無端セグメント２８と分割セグメント２９を厚さ方向に重ね合わせたときの接合線１３（図７（ａ）参照）が弾性クローラ１の接続部分の内周側（図７の上側）に位置するようになるので、両セグメント２８，２９の重合面に土砂や小石等が侵入し難くなり、クローラ幅方向端部からのゴム欠けや亀裂の発生が防止される。
【００３０】
図９は、外周側芯金４の変形例を示している。
この変形例では、内周側芯金６に直接接触すべくゴム様弾性体の外部に露出する当接フランジ３０が外周側芯金４のクローラ幅方向両端部に形成されており、これにより、両セグメント２８，２９を重ね合わせた時に互いに直接当接することになる当接部を両芯金４，６のクローラ幅方向端部にも形成するようにしている。従って、この変形例に係る分割式弾性クローラ１の場合にも、芯金４，６同士がボルト締結された場合の当該両芯金４，６の端部強度が向上し、弾性クローラ１の耐久性がより向上するという利点がある。
【００３１】
なお、前記した各実施形態はすべて例示であって制限的なものではない。本発明の範囲は特許請求の範囲によって規定され、そこに記載された構成と均等の範囲内のすべての変更も本発明に含まれる。
例えば、前記第一実施形態では、第一セグメント２のクローラ長手方向両端部に外周側接続部５を設け、第二セグメント３のクローラ長手方向両端部に内周側接続部７を設けているが、外周側接続部５と内周側接続部７をそれぞれ一端及び他端に有するセグメントを採用することにしてもよい（この場合には、第一及び第二セグメント２，３は同一構造となる。）。
【００３２】
また、前記第一実施形態では、芯金間隔の３ピッチ分の長さを有する接続部５，７を採用しているが、当該接続部５，７の長さは芯金間隔の２〜５ピッチ分程度であればよい。なお、第一及び第二セグメント２，３の長さはその両端の接続部５，７を含めて、芯金間隔の１０〜２５ピッチ分程度の範囲であることが好ましい。
更に、前記第二実施形態では、一つの内周側芯金６のみを有する分割セグメント２９が採用されているが、分割セグメント２９をクローラ長手方向に長い有端帯状のものとし、かかる分割セグメント２９に対して複数個の内周側芯金６を埋設するようにしてもよい。
【００３３】
【発明の効果】
以上説明したように、本発明によれば、縁石等に接触した場合に耳切れが発生し難くなるとともに、外周側接続部と内周側接続部の重合面に異物が侵入し難くなるので、両接続部の幅方向端部からのゴム欠けや亀裂の発生が防止され、分割式弾性クローラの耐久性を向上させることができる。
【図面の簡単な説明】
【図１】（ａ）は第一実施形態に係る分割式弾性クローラの接続部分の横断面図であり、（ｂ）はその接続部分の分解図である。
【図２】第一及び第二セグメントの中央帯部の横断面図（図４のＡ−Ａ線及びＢ−Ｂ線断面図）である。
【図３】第一及び第二セグメントの接続状態を内周側から見た平面図である。
【図４】第一及び第二セグメントの接続状態を外周側から見た平面図である。
【図５】第一及び第二セグメントの接続状態を示す縦断面図である。
【図６】芯金の変形例を示すための分割式弾性クローラの接続部分の横断面図である。
【図７】（ａ）は第二実施形態に係る分割式弾性クローラの接続部分の横断面図であり、（ｂ）はその接続部分の分解図である。
【図８】（ａ）は第二実施形態に係る分割式弾性クローラを外周側から見た平面図であり、（ｂ）は同クローラを外周側から見た平面図である。
【図９】芯金の変形例を示すための分割式弾性クローラの横断面図である。
【符号の説明】
１      分割式弾性クローラ
２      第一セグメント
３      第二セグメント
４      外周側芯金
５      外周側接続部
６      内周側芯金
７      内周側接続部
７Ａ    端面
１２      フランジ部
２５      抗張体
２８      無端セグメント
２９      分割セグメント
２９Ａ    端面
【図１】
2005022460.tif 000003
【図２】
2005022460.tif 000004
【図３】
2005022460.tif 000005
【図４】
2005022460.tif 000006
【図５】
2005022460.tif 000007
【図６】
2005022460.tif 000008
【図７】
2005022460.tif 000009
【図８】
2005022460.tif 000010
【図９】
2005022460.tif 000011